【手続補正書】
【提出日】平成16年12月17日(2004.12.17)
【手続補正１】
【補正対象書類名】明細書
【補正対象項目名】特許請求の範囲
【補正方法】変更
【補正の内容】
【特許請求の範囲】
【請求項１】
第１の通信装置と第２の通信装置との間で、他の複数の通信装置を用いてデータを伝送する方法であって、
前記第２の通信装置および前記他の通信装置それぞれは、
第１のデータレートで、長い距離を通信する第１のトランシーバと、
より速い前記第２データレートで、短い距離を通信する第２のトランシーバと
を有し、
前記方法は、
前記第２の通信装置および複数の前記他の通信装置を用いて短距離ネットワークを調整するステップと、
前記第１の通信装置から、前記第２の通信装置および前記他の通信装置それぞれに対して、前記第１のトランシーバを用いて、前記データの部分を伝送するステップと、
前記他の通信装置によって受信された前記データの部分を、前記第２の通信装置に対して、これらの前記第２のトランシーバを用いて伝送するステップと
を有する方法。
【請求項２】
前記第２の通信装置および前記他の通信装置それぞれは、移動体通信装置である
請求項１に記載の方法。
【請求項３】
前記第２のデータレートは、換算計数として２倍以上、前記第１のデータ信号速度より速い
請求項１に記載の方法。
【請求項４】
前記第２のトランシーバそれぞれは、無線ネットワークプロトコルIEEE802に従って作動する
請求項１に記載の方法。
【請求項５】
前記第２の通信装置および前記他の通信装置それぞれの前記第１のトランシーバは、セルラー通信ネットワークの基地局と通信し、
前記第１の通信装置は、前記基地局と通信するようにされる
請求項１に記載の方法。
【請求項６】
前記第１の通信装置は、
前記基地局に対して、前記第２の通信装置および前記他の通信装置それぞれに、前記データの別々の部分を伝送するように指示するサーバ
を含む
請求項５に記載の方法。
【請求項７】
前記第２の通信装置において、前記データの部分を多重化するステップ
をさらに有する請求項６に記載の方法。
【請求項８】
前記サーバは、
パケットのデータ提供者からのデータのストリームを要求し、
前記基地局に対して、前記パケットそれぞれを、前記第２の通信装置および前記他の通信装置にルーティングするように指示し、
所与の前記第２の通信装置または前記他の通信装置にルーティングされたパケットは、全体として、この通信装置に伝送された前記データの部分を構成する
請求項７に記載の方法。
【請求項９】
第１の通信装置と複数の第２の通信装置とを有するデータ伝送システムであって、
前記第２の通信装置それぞれは、
第１のデータレートで、長い距離を通信する第１のトランシーバと、
より速い前記第２データレートで、短い距離を通信する第２のトランシーバと
を有し、
前記第２の通信装置それぞれと前記第１の通信装置との間で、前記データの部分それぞれが、前記第２の通信装置の第１のトランシーバを用いて伝送されるように、複数の前記第２の通信装置を調整して、前記第１の通信装置と所与の前記第２の通信装置との間で通信されるデータを伝送する手段と、
前記第２の通信装置の間で、これらの前記第２のトランシーバを用いて、前記データの部分を伝送する手段と
が備えられたデータ伝送システム。
【請求項１０】
前記第２の通信装置それぞれは、移動体通信装置である
請求項９に記載のデータ伝送システム。
【請求項１１】
前記トランシーバは、前記第２のデータレートが、換算計数として２倍以上、前記第１のデータ信号速度より速いようにされる
請求項９に記載のデータ伝送システム。
【請求項１２】
前記第２のトランシーバそれぞれは、無線ネットワークプロトコルIEEE802に従って動作する
請求項９に記載のシステム。
【請求項１３】
セルラー通信ネットワークの基地局
をさらに有し、
前記第２の通信装置の前記第１のトランシーバは、前記基地局と通信するようになされ、
前記第１の通信装置は、
前記基地局と通信するトランシーバ
を備える
請求項９に記載のデータ伝送システム。
【請求項１４】
前記第１の通信装置は、
前記基地局に対して、それぞれの前記データの部分を、前記第２の通信デバイスに伝送するように指示するようになされたサーバ
をさらに有する請求項１３に記載のデータ伝送システム。
【請求項１５】
所与の前記第２の通信装置は、
前記データの部分の全てを多重化する手段
を有する請求項１４に記載のデータ伝送システム。
【請求項１６】
前記サーバへのデータを、パケットに収容して送るデータプロバイダ
をさらに有し、
前記サーバは、前記データプロバイダに対して、前記基地局によって伝送されるデータパケットそれぞれを、前記第２の通信装置のいずれかとラベルを付けるように指示し、
前記所与の第２の通信装置とラベル付けされたパケットは、全体として、その通信装置に対して伝送されたデータの部分を構成する
請求項１４に記載のデータ伝送システム。
【請求項１７】
所与の前記第２の通信装置は、その第２のトランシーバおよび他の前記第２の通信装置の第２のトランシーバにより、複数の他の前記第２の通信装置それぞれに、前記第１の通信装置に伝送されるデータを伝送するようになされ、
所与の前記第２の通信装置は、他の前記第２の通信装置に対して、前記データの部分を、前記第１の通信装置に伝送するように指示するようになされ、
所与の前記第２の通信装置は、他の前記データの部分を、前記第１の通信装置に対して伝送する
請求項９に記載のデータ伝送システム。
【請求項１８】
第１のトランシーバおよび第２のトランシーバを有する通信装置からバンド幅を移動し、前記通信装置にバンド幅を移動する方法であって、
前記第１のトランシーバは、長距離の低データレートのトランシーバであり、
前記第２のトランシーバは、短距離で高データレートのトランシーバであり、
前記方法は、
前記通信装置の第２のトランシーバによって扱われる短距離ネットワーク内に置かれた同じ種類の通信装置の第１のトランシーバおよび第２のトランシーバを利用すること
を含み、
前記データは、部分ごとに、前記通信装置に、または、前記通信装置から、前記通信装置の間を、前記通信装置の前記第２のトランシーバを用いて伝送され、
前記別の通信装置に、または、前記別の通信装置から、前記通信装置の第１のトランシーバを用いて伝送される
方法。
【請求項１９】
複数の他の通信装置を用いて、第２の通信装置と第１の通信装置との間でデータを伝送する方法であって、
前記第２の通信装置および前記他の通信装置それぞれは、
第１のデータレートでの長距離の通信のための第１のトランシーバと、
より速い第２のデータレートでの短距離の通信のための第２のトランシーバと
を有し、
前記第２の通信装置および複数の前記他の通信装置を用いて、調整された短距離ネットワークを形成するステップと、
前記第２の通信装置から前記他の通信装置に対して、これらの前記第２のトランシーバを用いて、前記データの部分を伝送するステップと、
前記第２の通信装置および前記他の通信装置が、前記第１の通信装置に対して、これらの第１のトランシーバを用いて、前記データの部分を伝送するステップと
を有する方法。
【請求項２０】
第２の通信装置が、より速いデータレートで、第１の通信装置からデータを受信する方法であって、
前記第２の通信装置は、
第１のデータレートでの長距離の通信のための第１のトランシーバと、
より速い第２のデータレートでの短距離の通信のための第２のトランシーバと
を有し、
前記第２の通信装置を有する短距離ネットワークに含まれ、その第２のトランシーバにより、前記第２の通信装置と通信する他の通信装置のアドレスを得るステップであって、前記他の通信装置は、前記第１の通信装置と前記第２の通信装置との間で、データを中継するようになされているステップと、
前記第１の通信装置に、前記他の通信装置のアドレスを通知し、前記他の通信装置に供給され、前記第２の通信装置に中継されるデータを要求するステップと、
前記他の通信装置から前記データの部分を受信し、前記部分を、前記要求されたデータに組み立てるステップと
を有する方法。
【請求項２１】
第２の通信装置が、より速いデータレートで、第１の通信装置にデータを送信する方法であって、
前記第２の通信装置は、
第１のデータレートでの長距離の通信のための第１のトランシーバと、
より速い第２のデータレートでの短距離の通信のための第２のトランシーバと
を有し、
前記第２の通信装置を有する短距離ネットワークに含まれ、その第２のトランシーバにより、前記第２の通信装置と通信する他の通信装置を決めるステップであって、前記他の通信装置は、前記第１の通信装置と前記第２の通信装置との間で、データを中継するようになされているステップと、
前記データの部分それぞれが、前記第１の通信装置の方へ送信されるように、前記他の通信装置に対して、前記データの部分を送信するステップと
を含む方法。
【請求項２２】
第１の通信装置から第２の通信装置に、より速いデータレートでデータを供給する方法であって、
前記第１の通信装置が、前記第２の通信装置から、データに対する要求を受け取ることであって、前記要求は、複数の通信装置のアドレスを含むことと、
前記第１の通信装置が、前記データを、複数の部分に分割することと、
前記第２の通信装置の方への送信の要求において特定されたアドレスそれぞれに対して、前記データの部分それぞれを送信することと
を含む方法。